(57)【要約】【課題】任意の方向に開けるスーツケースを提供する。【解決手段】本発明のスーツケースは、第一ケースと、前記第一ケースと対になる第二ケースと、前記第一ケース及び前記第二ケースを連結させるために用いられる結合部材とを備える。前記結合部材はジッパーに２つのスライダ部材が結合され、且つ２つの前記スライダ部材が前記ジッパーに沿って移動することにより前記ジッパーが開閉を形成させる。前記スーツケースが横置されることにより前記第一ケースが下になり、前記第二ケースが上を向き、前記２つのスライダ部材が前記ジッパーの任意の位置まで移動すると前記第二ケースが前記第一ケースに対して開放状態を形成させ、前記スーツケースを任意の方向に開く効果が達成される。【選択図】図１
2019165824.tif 000002
【特許請求の範囲】
【請求項１】
荷物の収納に用いられる任意の方向に開けるスーツケースであって、
第一パネル部と、前記第一パネル部の周辺から延伸される第一周縁部と、前記第一パネル部及び前記第一周縁部に囲まれた範囲内に形成される収納空間と、前記収納空間の一側に形成されると共に前記第一パネル部に対向する開放口とを有する第一ケースと、
前記開放口に配置されて前記収納空間を封鎖させるために用いられ、且つ第二パネル部及び前記第二パネル部の周辺から延伸される前記第二周縁部を有する第二ケースと、
２つのスライダ部材が結合されるジッパーを含み、前記ジッパーには前記第一周縁部及び前記第二周縁部が結合され、２つのスライダ部材が前記ジッパーに沿って移動することにより互いに近接させ、且つ前記２つのスライダ部材が互いに近接することにより前記ジッパーが開閉を形成させる結合部材とを備え、
前記スーツケースが横置されることにより前記第一ケースの前記第一パネル部が下向きになり、前記第二ケースが上向きになり、前記２つのスライダ部材が前記ジッパーの任意の位置まで移動することにより前記第二ケースが前記第一ケースに対して開放状態を形成させ、且つ前記第一周縁部が壁形状を形成させて前記収納空間内の前記荷物の脱落を防ぐことを特徴とする任意の方向に開けるスーツケース。
【請求項２】
前記第一周縁部は第一底面に対する第一上面、及び前記第一上面と前記第一底面との間に位置される２つの第一側面を備え、且つ２つの前記第一側面は対向し合い、前記第一上面、前記第一底面、前記第一側面、及び前記第一パネル部は一体の単一部材として成型されることを特徴とする請求項１に記載の任意の方向に開けるスーツケース。
【請求項３】
前記第一底面から前記第一上面に向けて延伸されるフランジ面を更に備え、且つ前記フランジ面の両端は２つの前記第一側面に連接され、前記フランジ面は前記第一側面及び前記第一底面に一体となるように結合されることを特徴とする請求項２に記載の任意の方向に開けるスーツケース。
【請求項４】
前記第一底面に装設される複数の車輪組立キットを更に備えることを特徴とする請求項２に記載の任意の方向に開けるスーツケース。
【請求項５】
伸展機構を更に備え、前記第一周縁部は固定部及び活動部を含み、前記固定部は前記第一パネル部に連結され、前記活動部は前記結合部材により前記第二ケースに連結され、前記伸展機構は前記固定部及び前記活動部に連接され、前記伸展機構の伸展により前記活動部の前記固定部に対する間隔及び前記収納空間の容積の調整が行われることを特徴とする請求項１に記載の任意の方向に開けるスーツケース。
【請求項６】
前記伸展機構は伸展材料層及び開閉用ジッパーを備え、前記伸展材料層は前記固定部と前記活動部との間に配置され、且つ前記伸展材料層は前記固定部及び前記活動部に連接され、前記開閉用ジッパーは前記固定部及び前記活動部に連接され、且つ前記開閉用ジッパー及び前記伸展材料層は分離されていることを特徴とする請求項５に記載の任意の方向に開けるスーツケース。
【請求項７】
前記第二周縁部は第二上面、及び前記第二パネル部の両側に位置されると共に前記第二上面に連接される２つの第二側面を備え、前記第二上面、２つの前記第二側面、及び前記第二パネル部は一体の単一部材として成型されることを特徴とする請求項１に記載の任意の方向に開けるスーツケース。
【発明の詳細な説明】
【技術分野】
【０００１】
本発明は、スーツケースの分野に関し、より詳しくは、任意の方向に開けるスーツケース（suitcase can be opened in any direction）に関する。
【背景技術】
【０００２】
国民の旅行に対する関心が日々高まりをみせ、使用者が出張や観光に行く機会が増加している。出張や旅行ではスーツケースを使用して荷物を携帯する。従来のスーツケースの構造は第一ケース体と、第二ケース体と、結合機能を有するジッパー及び結合部材とを備える。
【０００３】
従来の特許文献１では、例えば、スーツケース構成こと発明が記載されている。前記構造のケースはケースカバーを有し、前記ケースと前記ケースカバーとの間にはジッパー及び矩形片状を呈する結合部材が設置される。前記ジッパーが閉められると前記ケースカバー及び前記ケースが閉合される。前記ジッパーが開かれると前記結合部材及びジッパーの開かれていない部分が回転軸機構となり、前記ケースカバーが前記ケースに対して開いた状態となる。
【先行技術文献】
【特許文献】
【０００４】
【特許文献１】台湾実用新案第Ｍ４５３４０８号明細書
【発明の概要】
【発明が解決しようとする課題】
【０００５】
しかしながら、前述した従来の技術では、即ち、前記ケースと前記ケースカバーとの間に固結される前記結合部材により前記ケースカバーの開く方向が制限され、前記ケースカバーが一方向にしか開けなくなる。ゆえに、使用者が前記スーツケースを開く方向が制限された。
【０００６】
また、任意の方向に開けるように設計された別のスーツケースも存在する。前記スーツケースの構造は内設される収納バッグを備える。前記収納バッグは荷物を収納して前記スーツケース内部に配置させるために用いられる。前記収納バッグの荷物収納機能により、前記スーツケースが開けられた際に荷物が散乱することがなくなる。然しながら、このような構造では収納バッグを開けて荷物を出し入れする必要があるため、明らかに不便で時間がかかった。
【０００７】
そこで、本発明者は上記の欠点が改善可能と考え、鋭意検討を重ねた結果、合理的設計で上記の課題を効果的に改善する本発明の提案に到った。
【０００８】
本発明はこうした状況に鑑みてなされたものであり、その目的は、任意の方向に開けるスーツケースを提供することにある。
【課題を解決するための手段】
【０００９】
上記課題を解決するために、本発明のある態様の任意の方向に開けるスーツケースは、荷物の収納に用いられ、
第一パネル部と、前記第一パネル部の周辺から延伸される第一周縁部と、前記第一パネル部及び前記第一周縁部に囲まれた範囲内に形成される収納空間と、前記収納空間の一側に形成されると共に前記第一パネル部に対向する開放口とを有する第一ケースと、
前記開放口に配置されて前記収納空間を封鎖させるために用いられ、且つ第二パネル部及び前記第二パネル部の周辺から延伸される前記第二周縁部を有する第二ケースと、
２つのスライダ部材が結合されるジッパーを含み、前記ジッパーには前記第一周縁部及び前記第二周縁部が結合され、２つのスライダ部材が前記ジッパーに沿って移動することにより互いに近接させ、且つ前記２つのスライダ部材が互いに近接することにより前記ジッパーが開閉を形成させる結合部材とを備え、
前記スーツケースが横置されることにより前記第一ケースの前記第一パネル部が下向きになり、前記第二ケースが上向きになり、前記２つのスライダ部材が前記ジッパーの任意の位置まで移動することにより前記第二ケースが前記第一ケースに対して開放状態を形成させ、且つ前記第一周縁部が壁形状を形成させて前記収納空間内の前記荷物の脱落を防ぐ。
【発明の効果】
【００１０】
本発明によれば、従来のスーツケースが一方向にしか開けないという問題を解決するのみならず、使用が便利になる効果を更に有する。
【図面の簡単な説明】
【００１１】
【図１】本発明に係るスーツケースを示す外観斜視図である。
【図２】本発明のスーツケースを他の方向から看た斜視図である。
【図３】本発明に係るスーツケースを示す外観斜視図である。
【図４】本発明の第二ケースが開かれた状態図（一）である。
【図５】本発明の第二ケースが開かれた状態図（二）である。
【図６】本発明の第二ケースが開かれた状態図（三）である。
【図７】本発明の第二ケースが開かれた状態図（四）である。
【図８】本発明が伸展機構を搭載させる概略図である。
【発明を実施するための形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例】
【００１３】
図１及び図２は本発明の任意の方向に開けるスーツケースの好ましい実施形態を示す。前記スーツケースは第一ケース１０及び第二ケース２０を備え、結合部材３０は前記第一ケース１０及び前記第二ケース２０を結合させるために用いられる（図１及び図２参照）。
【００１４】
前記第一ケース１０は第一パネル部１２（図中にはバックパネルとして示す）及び前記第一パネル部１２の周辺から延伸される第一周縁部１４を備える。収納空間１６は前記第一パネル部１２及び前記第一周縁部１４により囲まれた範囲内に形成される。開放口１８は前記収納空間１６の一側に形成されて前記第一パネル部１２に対向させる。
【００１５】
前記第二ケース２０は前記開放口１８に配置されて前記収納空間１６を閉鎖させるために用いられる。前記第二ケース２０は第二パネル部２２及び前記第二パネル部２２の周辺から延伸される前記第二周縁部２４を有する。図中では前記第二ケース２０は前蓋パネルとして示す。
【００１６】
前記結合部材３０は２つのスライダ部材３４が結合されるジッパー３２を備える。前記ジッパー３２は前記第一周縁部１４及び前記第二周縁部２４に結合される。２つのスライダ部材３４が前記ジッパー３２に沿って移動することにより互いに近接し、且つ前記２つのスライダ部材３４が互いに近接することにより前記ジッパー３２が開閉を形成させる。
【００１７】
図３に示されるように、前記第一周縁部１４は第一底面１４２に対向する第一上面１４０、及び前記第一上面１４０と前記第一底面１４２との間に位置される２つの第一側面１４４を備え、且つ２つの前記第一側面１４４は互いに対向し合う。前記第一上面１４０、前記第一底面１４２、２つの前記第一側面１４４、及び前記第一パネル部１２は一体の単一部材として成型される。次いで、前記第一底面１４２から前記第一上面１４０に向けて延伸されるフランジ面１４６を更に備え、且つ前記フランジ面１４６の両端は２つの前記第一側面１４４に連接される。これにより、前記フランジ面１４６と前記第一側面１４４及び前記第一底面１４２とが結合されて一体となる。
【００１８】
複数の車輪組立キット４０を更に備える。各前記車輪組立キット４０は前記第一底面１４２に装設される。前記第一底面１４２は単一の完全な構造面であり、よって、各車輪組立キット４０は前記第一底面１４２に簡単且つ安定的に装設可能になる。
【００１９】
前記第二周縁部２４は第二上面２４０、及び前記第二パネル部２２の両側に位置されると共に前記第二上面２４０に連接される２つの第二側面２４２を備える。前記第二上面２４０、２つの前記第二側面２４２、及び前記第二パネル部２２は一体の単一部材として成型される。
【００２０】
図４乃至図７に示されるように、使用時には、前記スーツケースが横置されると前記第一ケース１０の前記第一パネル部１２が下向きになり、且つ前記第二ケース２０が上向きになる。前記２つのスライダ部材３４が前記ジッパーの任意の所定の位置まで移動されると、前記ジッパー３２の開いていない部分を回転軸機構として、前記第二ケース２０が前記第一ケース１０に対して開放状態を形成させる。特に、前記第一周縁部１４は前記第一パネル部１２に対して十分な高さを有し、よって、前記第一周縁部１４が壁形状を形成させて前記収納空間１６内に位置される荷物（図示せず）が脱落するのを防止させる。
【００２１】
図８を参照し、本発明はスーツケースの空間拡張設計が組み合わせられてケースの内部空間を適時調整可能になる。本発明は伸展機構５０を更に備え、前記第一周縁部１４は固定部６０及び活動部６２で構成される。前記固定部６０は前記第一パネル部１２に連結され、前記活動部６２は前記結合部材３０により前記第二ケース２０に連結される。前記伸展機構５０は前記固定部６０及び前記活動部６２に連接される。
【００２２】
さらに、前記伸展機構５０は伸展材料層５２及び開閉用ジッパー５４の組み合わせを備える。前記伸展材料層５２は前記固定部６０と前記活動部６２との間に配置され、且つ前記伸展材料層５２は前記固定部６０及び前記活動部６２に連接される。前記開閉用ジッパー５４は前記固定部６０及び前記活動部６２に連接され、且つ前記開閉用ジッパー５４及び前記伸展材料層５２は分離されている。これにより、前記伸展機構５０が伸展されることにより前記活動部６２の前記固定部６０に対する間隔及び前記ケースの内部空間（前記収納空間）の容積が調整可能となる。
【００２３】
以上の説明のように、本発明は従来の結合部材を回転軸機構とする必要がなく、よって、２つの前記スライダ部材３４が前記ジッパー３２の任意の位置に位置され、且つ前記ジッパー３２の開かれていない部分を回転軸機構とすることで、前記第二ケース２０が任意の方向にスムーズに開けるようになり、部材点数の削減効果を達成させる。次に、前記ケースが地面や卓上等の所定の位置に横置されると、前記第一周縁部１４の高さが前記フランジ面１４６の延伸方向に適合し、前記収納空間１６が好ましい収納効果を有する。別途収納バッグを使用して荷物を収納する必要がなく、且つ前記第二ケースが開かれても荷物が散乱することがない。ゆえに、本発明は収納及び取り出しが便利になるという効果を更に有する。
【００２４】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２５】
１０  第一ケース
１２  第一パネル部
１４  第一周縁部
１４０  第一上面
１４２  第一底面
１４４  第一側面
１４６  フランジ面
１６  収納空間
１８  開放口
２０  第二ケース
２２  第二パネル部
２４  第二周縁部
２４０  第二上面
２４２  第二側面
３０  結合部材
３２  ジッパー
３４  スライダ部材
４０  車輪組立キット
５０  伸展機構
５２  伸展材料層
５４  開閉用ジッパー
６０  固定部
６２  活動部
【図１】
2019165824.tif 000003
【図２】
2019165824.tif 000004
【図３】
2019165824.tif 000005
【図４】
2019165824.tif 000006
【図５】
2019165824.tif 000007
【図６】
2019165824.tif 000008
【図７】
2019165824.tif 000009
【図８】
2019165824.tif 000010